(57)【特許請求の範囲】
【請求項１】
複数のビームを用いてディスク上の複数のトラックを同時に再生する場合、ビーム数よりも多いトラック数の順方向ジャンプと逆方向ジャンプを交互に繰り返し、前記逆方向ジャンプをした場合に、前記複数のビームのうち前記ディスクの内周側にあるビームのみが既に再生されたトラックに位置するように移動することを特徴とする高速データ再生方法。
【請求項２】
前記高速データ再生方法において、Ｎ個（Ｎは自然数）のビームを用いてＮ個のトラックを同時に再生する場合、
Ｎ個のビームのいずれかが一回転前に再生したデータを検出したときに、トラックの順方向に３×Ｎ−２トラックジャンプを行う工程と、
Ｎ個のビームのいずれかが一回転前に再生したデータを検出したときに、トラックの逆方向にＮ＋１トラックジャンプを行う工程と、
を交互に繰り返すことによりデータの再生を行う請求項１に記載の高速データ再生方法。
【請求項３】
複数のビームを用いてディスク上の複数のトラックを同時に再生する場合、ビーム数よりも多いトラック数の第一の順方向ジャンプと逆方向ジャンプと第二の順方向ジャンプを一サイクルとして、このサイクルを繰り返し、前記逆方向ジャンプ及び第二の順方向ジャンプをした場合に、前記複数のビームのうち前記ディスクの内周側にあるビームのみが既に再生されたトラックに位置するように移動することを特徴とする高速データ再生方法。
【請求項４】
前記高速データ再生方法において、Ｎ個（Ｎは自然数）のビームを用いてＮ個のトラックを同時に再生する場合、
Ｎ個のビームのいずれかが一回転前に再生したデータを検出したときに、トラックの順方向に２×（Ｎ−１）トラックジャンプを行う工程と、
Ｎ個のビームのいずれかが一回転前に再生したデータを検出したときに、トラックの逆方向にＮ＋１トラックジャンプを行う工程と、
Ｎ個のビームのいずれかが一回転前に再生したデータを検出したときに、トラックの順方向に２×（Ｎ−１）トラックジャンプを行う工程と、
よりなる動作を一サイクルとして、このサイクルを繰り返すことによりデータの再生を行う請求項３に記載の高速データ再生方法。
【発明の詳細な説明】
【０００１】
【発明の属する技術分野】
本発明は、複数のビームを用いて複数のトラックを同時再生することにより高速にデータを再生する装置における高速データ再生方法に関する。
【０００２】
【従来の技術】
複数のビームを用いて複数のトラックを同時再生することにより高速にデータを再生する装置においては、従来のように内周から外周に向けて順に再生して行く方法では、トラックジャンプ中に再生データの欠落を生じることになる。
【０００３】
図３を例に説明する。
図３は、ディスク上に螺旋状に形成されたトラックの一回転分を実線で示し、それぞれにトラック番号１〜１２を付してある。従って図３の左上部からトラックが始まり、一回転分進むと右端部に達し破線で示されたように次のトラックへつながる。また実際にはディスクが回転して読み出しビームはトラックを半径方向に追尾するのであるが、図３ではトラックを固定して読み出しビームが相対的に移動していくことで読み出し動作を行う様子を示している。また、斜線で示したトラックの太線部は読み出しビームにより読み出されるトラックの場所を示している。
【０００４】
図３において、ディスク上のトラック４のａの位置から３ビームを用いて３トラックを同時再生する場合、一周したｂの部分で新たな３トラックを再生するために外周方向に３−１である２トラックジャンプする必要がある。
このときジャンプ中もディスクが回転しているために、読み出しビームがトラック５のｂの位置にて２トラック外周方向にジャンプすると読み出しビームの進行方向にずれトラック７のｃの位置に移る。
従って、トラック７のｅからｃまでのデータを読み出すことができない。
【０００５】
【発明が解決しようとする課題】
上述したように、複数の光ビームをディスクに照射し、複数のトラックを同時再生することにより高速データ再生を行う装置においては、トラックジャンプ中に再生データ欠落部分が生じないようにするために、いかにして複数のトラックを再生するかが問題となってくる。
従って、本発明は連続したデータを読み出すことが可能な高速データ再生方法を提供することを目的とする。
【０００６】
【課題を解決するための手段】
前記目的を達成するために、本発明では次のような手段を採用した。すなわち、請求項１に記載の高速データ再生方法は、複数のビームを用いてディスク上の複数のトラックを同時に再生する場合、ビーム数よりも多いトラック数の順方向ジャンプと逆方向ジャンプを交互に繰り返し、前記逆方向ジャンプをした場合に、前記複数のビームのうち前記ディスクの内周側にあるビームのみが既に再生されたトラックに位置するように移動する。
【０００７】
また、請求項２に記載の発明は、請求項１に記載の高速データ再生方法において、Ｎ個（Ｎは自然数）のビームを用いてＮ個のトラックを同時に再生する場
合、Ｎ個のビームのいずれかが一回転前に再生したデータを検出したときに、トラックの順方向に３×Ｎ−２トラックジャンプを行う工程と、Ｎ個のビームのいずれかが一回転前に再生したデータを検出したときに、トラックの逆方向にＮ＋１トラックジャンプを行う工程と、を交互に繰り返すことによりデータの再生を行うことを特徴とする。
【０００８】
また、請求項３に記載の高速データ再生方法は、複数のビームを用いてディスク上の複数のトラックを同時に再生する場合、ビーム数よりも多いトラック数の第一の順方向ジャンプと逆方向ジャンプと第二の順方向ジャンプを一サイクルとして、このサイクルを繰り返し、前記逆方向ジャンプ及び第二の順方向ジャンプをした場合に、前記複数のビームのうち前記ディスクの内周側にあるビームのみが既に再生されたトラックに位置するように移動する。
【０００９】
また、請求項４に記載の発明は、請求項３に記載の高速データ再生方法において、Ｎ個（Ｎは自然数）のビームを用いてＮ個のトラックを同時に再生する場
合、Ｎ個のビームのいずれかが一回転前に再生したデータを検出したときに、トラックの順方向に２×（Ｎ−１）トラックジャンプを行う工程と、Ｎ個のビームのいずれかが一回転前に再生したデータを検出したときに、トラックの逆方向にＮ＋１トラックジャンプを行う工程と、Ｎ個のビームのいずれかが一回転前に再生したデータを検出したときに、トラックの順方向に２×（Ｎ−１）トラックジャンプを行う工程と、よりなる動作を一サイクルとして、このサイクルを繰り返すことによりデータの再生を行うことを特徴とする。
【００１０】
【作用】
本発明によれば、複数のビームを用いてディスク上の複数のトラックを同時に再生する場合、ディスク上に記録されたデータを連続して高速に再生することが可能となる。
【００１１】
【発明の実施の形態】
以下、本発明の実施の形態を図面に基づいて説明する。
図４は、本発明のデータ再生方法を実現する装置の構成の一例を示す図であ
る。図４は３ビームで３トラックを同時再生する場合を示す。
【００１２】
図４において、４０１は記録媒体であるディスク、４０２はディスク４０１を回転させるスピンドル、４０３はディスク４０１上の記録データを読み出すための３ビームによる光ピックアップ、４０４は光ピックアップ４０３の読み出し制御を行うトラックジャンプ制御部、４０５はトラックジャンプ制御部４０４を操作部４０７からの操作指令を受けて制御したり、光ピックアップ４０３から読み出されたデータをメモリ４０６に書き込んだり、またＥＣＣ回路からの要求でメモリ４０６からデータを読み出したりするＣＰＵ（Ｃｅｎｔｒａｌ  Ｐｒｏｃｅｓｓｉｎｇ  Ｕｎｉｔ  ）である。
【００１３】
すなわち、ディスク４０１は図示しない回転制御部でスピンドル４０２によ
り、所定の回転速度で回転させられている。光ピックアップ４０３は図示しないレーザ発光源及び対物レンズを含む光学系からなる３ビームの読み出しビームを持ち、ディスク４０１上に記録されているデータを読み出すように構成されている。
【００１４】
トラックジャンプ制御部４０４は光ピックアップ４０３のディスク上の読み出し位置を所望の読み出し位置に移動制御するためにＣＰＵ４０５の指令を受けて制御する。
光ピックアップ４０３によりディスク４０１から読み出されたデータは、メモリ４０６に記憶され、該データは通常、データのディスク上の位置を表すアドレス部分と所定の情報部分からなる。
【００１５】
メモリ４０６は通常所定のアドレスを有しており、光ピックアップ４０３から読み出されたデータはメモリ４０６の適合するアドレスにそれぞれ格納される。また、メモリ４０６に格納されたデータは図示しないエラー訂正手段ＥＣＣ回路へ出力されてエラー訂正が行われ再生信号としてビデオ、オーディオ、コンピュータデータ等の信号として利用される。
【００１６】
ＣＰＵ４０５は、メモリ４０６に書き込まれたデータから例えばデータ中のアドレス部分を参照して一回転分のデータが書き込まれたかどうかを検出する。
すなわち、複数の読み出しビームの内の少なくとも一つのビームが一回転前に読んだデータと同じアドレスを持つデータを読み出したら一回転分のデータを得たと判断する。
【００１７】
操作部４０７は、ユーザからの操作指令をＣＰＵに伝達するための例えばコントロールパネル、キーボード等である。
【００１８】
次に、第１の実施の形態についてその動作を図１及び図５を参照して説明す
る。
図１は、本発明の第１の実施の形態の動作を説明する読み出しビームのトレースの模式図であり、図５は図１を説明するフローチャートである。ここでは、読み出しビームの数Ｎ（Ｎは自然数）を３とし、トラック１からトラック１４までの連続するデータを読み出すものとして説明する。
【００１９】
図１は、螺旋状トラックの一回転分を実線で表しそれぞれにトラック番号１〜１４を付してある。従って図１の左上部からトラックが始まり、一回転分進むと右端部に達し破線で示されたように次のトラックへつながる。つまり、図１の上部から下部へとトラックは進む。
【００２０】
また図１においては、上部の方がトラックの若い番号を示しており、説明中外周方向は図１の下方への方向を示し、内周方向は上部への方向を示している。つまりディスクの中心部は上部の方向に位置している。
【００２１】
また、データ読み出し時に、ディスクが回転するにつれビームが移動して行く方向の半径方向を順方向、順方向とは反対の方向を逆方向と呼ぶことにする。本実施形態では、内周から外周に向けてトラックが形成されている場合であり、データ読み出し時には読み出しビームは内周から外周に向けてトラックをなぞっていくので外周方向が順方向で内周方向が逆方向である。
【００２２】
また、実際にはディスクが回転し、ビームはトラックを半径方向に追尾する
が、図１ではトラックを固定して読み出しビームが相対的に移動していくことで読み出し動作を行っている様子を示している。斜線で示したトラックの太線部は読み出しビームにより読み出されたトラックの部分を示している。
【００２３】
まず、図５のステップＳ５１において、操作部よりデータの再生指令がなされたら、再生するデータの開始トラックへサーチさせる。
図１の例では、サーチが完了した時点で読み出しビームの組のうち最内周に位置する読み出しビームはトラック１のａで示す点に位置しているものとする。
【００２４】
以下、かかる最内周に位置する読み出しビームをＲ１、Ｒ１と外周方向へ隣接する読み出しビームをＲ２、Ｒ２と外周方向へ隣接する読み出しビームをＲ３とする。
なお、図１中、トラック１、２、３に示した矩形Ａ１は、Ｒ１、Ｒ２、Ｒ３の各読み出しビームの組のサーチ直後の位置を示している。
【００２５】
次に、ステップＳ５２へ進んでサーチした位置から一回転分のデータを読み取る。
すなわち、図１で、読み出しビームの組がＡ１に示した位置から各トラックの一回転分のデータを読み出すと、Ｒ１、Ｒ２、Ｒ３の各読み出しビームはトラック２、３、４に示した楕円Ａ２の位置へ移動することになり、それぞれ１トラック外周方向へ進んだことになる。
その結果読み出しビームＲ１はトラック２のｂで示す点に移る。
【００２６】
このようにしてトラック１、２、３の開始点から終了点までのデータが各読み出しビームＲ１、Ｒ２、Ｒ３により読み出されたことになる。
この際、前述したような方法により所定の点から一回転したことがわかる。
つまり、Ａ１にいる時にＲ２のビームにより読み出されたデータのアドレスと同じアドレスを持つデータが、Ａ２にいる時のＲ１のビームにより読み出されるので、この時点で一回転分のデータが得られたことを検出することができる。
【００２７】
次に、ステップＳ５３へ進んで読み出しビームの組がＡ２の位置にある状態から（Ｎ＋１）、すなわち４トラック順方向（外周方向）へジャンプさせる。その結果、読み出しビームＲ１はトラック６のｃで示した点へ移動する。つまり、読み出しビームの組はＡ３へ移動する。なお、トラック２のｂ点からトラック６のｃ点への矢印は読み出しビームのジャンプを示す。
【００２８】
次に、ステップＳ５４へ進み、読み出しビームの組がＡ３の位置にある状態から各トラックの一回転分のデータを読み出す。その結果、読み出しビームの組は１トラックずつ外周方向へ移動し、トラック７、８、９に示したＡ４に移動す
る。つまりＲ１はｄの位置へ移動する。
【００２９】
次に、ステップＳ５５へ進み、（Ｎ＋１）、すなわち４トラック逆方向（内周方向）へジャンプさせる。その結果、Ｒ１はトラック３のｅで示す点へ移動し、つづいてステップＳ５６へ進み一回転分のデータを再生すると、読み取りビームＲ１はトラック４のｆで示す点へ移動することになる。
この時点で、開始トラック１からトラック９のＡ４の部分までのデータがメモリ４０６に読み込まれたことになる。
【００３０】
次に、ステップＳ５７へ進み、再生すべきデータを読み終えたか否かを判断
し、読み終えていなかったらステップＳ５８へ進み、操作部４０７にて停止指令がなされたか否かを判断し、停止指令がなされていなければステップＳ５９へ進む。なお、ステップＳ５７にてデータを全て読み終えていたとき、またはステップＳ５８にて停止指令がなされていたときは処理を終了する。
【００３１】
図１の例では、まだ再生すべきデータを全て読み出していないのでステップＳ５９へ進む。
ステップＳ５９では、（３×Ｎ−２）、すなわち７トラック順方向（外周方
向）へジャンプさせる。その結果、読み取りビームＲ１はトラック１１のｇで示す点へ移動する。つづいてステップＳ６０へ進み、一回転分のデータを再生す
る。その結果、読み出しビームＲ１はトラック１２のｈで示す点へ移動することになる。
以降は、ステップＳ５５からステップＳ６０までの一連の処理を、データが終了するか停止指令がなされるまで繰り返す。
【００３２】
図１の例では、さらにデータを読むべくステップＳ５５へ戻り、（Ｎ＋１）、すなわち４トラック逆方向（内周方向）へジャンプさせ、一回転分のデータを読み込む（ステップＳ５６）。この時点でトラック１からトラック１４までのデータを全てメモリ４０６に読み込んだことになる。
従って、ステップＳ５７にてデータ終了と判断され処理を終了する。
【００３３】
以上の動作の処理をまとめると、再生すべきデータの開始トラックから一回転読み出し、順方向へ（Ｎ＋１）トラックジャンプし、その後は一回転読み出した後は、逆方向へ（Ｎ＋１）トラックジャンプし、一回転読み出す動作と、順方向へ（３×Ｎ−２）トラックジャンプし、一回転読み出すという動作を、所定のデータが読み込まれるか操作部４０７を通じて停止指令がなされるまで繰り返す。その結果、図１に示したようにディスク上の所定のデータ上に読み出せなかったデータが無く、漏れなくデータを読み出せるのである。
【００３４】
次に、第２の実施の形態についてその動作を図２及び図６を参照して説明す
る。なお、第２の実施の形態を実現するための構成図は図４と同一である。
図２は、本発明の第２の実施の形態の動作を説明する読み出しビームのトレースの模式図であり、図６は図２を説明するフローチャートである。ここでは、読み出しビームの数Ｎを３とし、トラック１からトラック１０までの連続するデータを読み出すものとして説明する。
【００３５】
図２は、図１と同様に螺旋状トラックの一回転分を斜線で表しそれぞれにトラック番号１〜１２を付してある。従って図２の左上部からトラックが始まり、一回転分進むと右端部に達し破線で示されたように次のトラックへつながる。図２の上部から下部へとトラックは進む。
【００３６】
すなわち、上部の方がトラックの若い番号を示しており、説明中図２の下部の方向は外周方向を示し、上部の方向は内周方向を示している。また、図１と同様に、図２はトラックを固定して読み出しビームが相対的に移動していくことで読み出し動作を行う様子を示している。また、実線で示したトラックの太線部は読み出しビームにより読み出されたトラックの部分を示している。
【００３７】
まず、図６のステップＳ７１において、操作部よりデータの再生指令がなされたら、再生するデータの開始トラックへサーチさせる。
図２の例では、サーチが完了した時点で読み出しビームの組のうち最内周に位置する読み出しビームはトラック１のａで示す点に位置しているものとする。
【００３８】
以下、最内周に位置する読み出しビームをＲ１、Ｒ１と外周方向へ隣接する読み出しビームをＲ２、Ｒ２と外周方向へ隣接する読み出しビームをＲ３とする。なお、図２中、トラック１、２、３に示した矩形Ｂ１は、Ｒ１、Ｒ２、Ｒ３の各読み出しビームの組のサーチ直後の位置を示している。
【００３９】
次に、ステップＳ７２へ進んでサーチした位置から一回転分のデータを読み取る。
すなわち、図２で、読み出しビームの組がＢ１に示した位置から各トラックの一回転分のデータを読み出すと、Ｒ１、Ｒ２、Ｒ３の各読み出しビームはトラック２、３、４に示した楕円Ｂ２の位置へ移動することになり、それぞれ１トラック外周方向へ進んだことになる。
その結果、読み出しビームＲ１はトラック２のｂで示す点に移る。
【００４０】
このようにしてトラック１、２、３の開始点から終了点までのデータが各読み出しビームＲ１、Ｒ２、Ｒ３によりメモリ４０６に読み出されたことになる。
この際、前述したような方法にて一回転分のデータが得られたことを検出することができる。
【００４１】
次に、ステップＳ７３へ進んで読み出しビームの組がＢ２の位置にある状態から２×（Ｎ−１）、すなわ４トラック順方向（外周方向）へジャンプさせる。その結果、読み出しビームＲ１はトラック６のｃで示した点へ移動する。つまり、読み出しビームの組はＢ３の位置へ移動する。なお、Ｂ２からＢ３への矢印は読み出しビームのジャンプを示す。
【００４２】
次に、ステップＳ７４へ進み、読み出しビームの組がＢ３の位置にある状態から各トラックの一回転分のデータを読み出す。その結果、読み出しビームの組は１トラックずつ外周方向へ移動し、トラック７、８、９に示したＢ４に移動し、読み出しビームＲ１はｄに移動する。
【００４３】
次に、ステップＳ７５へ進み、（Ｎ＋１）、すなわち４トラック逆方向（内周方向）へジャンプさせる。その結果、読み出しビームの組はＢ５へ、Ｒ１はトラック３のｅで示す点へ移動し、つづいてステップＳ７６へ進み一回転分のデータを再生すると、読み取りビームの組はＢ６へＲ１はトラック４のｆで示す点へ移動することになる。
【００４４】
次に、ステップＳ７７へ進み、２×（Ｎ−１）、すなわち４トラック順方向
（外周方向）へジャンプさせ、つづいてステップＳ７８にて一回転分のデータを再生すると読み取りビームの組はＢ７に示す位置に移動する。
【００４５】
この時点で、開始トラック１からトラック１１のＢ７の部分までのデータがメモリ４０６に読み込まれたことになる。
【００４６】
次に、ステップＳ７９へ進み、再生すべきデータを読み終えたか否かを判断
し、読み終えていなかったらステップＳ８０へ進み、操作部４０７にて停止指令がなされたか否かを判断し、停止指令がなされていなければステップＳ７３へ戻る。なお、ステップＳ７９にてデータを全て読み終えていたとき、またはステップＳ８０にて停止指令がなされていたときは処理を終了する。
【００４７】
図２の例では、再生すべきデータは全て読み込まれているので、ステップＳ７９にてデータ終了と判断され処理を終了する。
【００４８】
以上の動作の処理をまとめると、再生すべきデータの開始トラックから一回転読み出した後、順方向へ２×（Ｎ−１）トラックジャンプし、一回転読み出し、逆方向へ（Ｎ＋１）トラックジャンプし、一回転読み出し、順方向へ２×（Ｎ−１）トラックジャンプし、一回転読み出す一連の動作を、所定のデータが読み込まれるか操作部４０７を通じて停止指令がなされるまで繰り返す。
【００４９】
その結果、図２に示したようにディスク上の所定のデータ上に読み出せなかったデータが無く、漏れなくデータを読み出せるのである。
【００５０】
なお、上記第１、２の実施の形態においては、外周方向が順方向、内周方向が逆方向であるとして説明したが、本発明はこの例に限らず、例えばデータ読み取り時に外周から内周に向けてビームが移動する場合、内周方向を逆方向、外周方向を順方向とすれば適用できる。
【００５１】
また、上記第１の実施形態では、トラック３は、ビームの組がＡ１から一回転データ読み取りをしたときＲ３のビームで読まれるが、Ａ５から一回転データ読み取りをしたときＲ１のビームでも読まれることになる。さらに、トラック８
は、ビームの組がＡ３から一回転データ読み取りをしたときＲ３のビームで読まれるが、Ａ６から一回転データ読み取りをしたときＲ１のビームでも読まれることになる。上記第２実施形態の２トラック３、８についても同様に重複して読まれている。
【００５２】
この重複して読み出されるデータに対しては、メモリにデータを格納する際に読み出されたデータの中のアドレス部分に基づいて、再メモリ書き込みを禁止したり上書きすることにより、データの重複取り込みを回避できる。
【００５３】
また、上記のように本発明によりデータを読み出した場合に読み取りデータに重複する部分が生じることになる。実際には、第１実施形態においてはディスクが２回転するうちに１トラックを２度読みし、第２実施形態においてはディスクが３回転するうちに２トラックを２度読みすることになるが、３ビームで読み取る場合の転送レートを計算すると、それぞれ、（３×２−１）／２＝２．５倍
速、（３×３−２）／３＝２．３倍速になるので、従来の１ビームで読み取る場合と比較して倍以上の高速再生が可能となる。
【００５４】
【発明の効果】
上述したように、複数のビームを用いてディスク上の複数のトラックを同時に再生する場合、ディスク上に記録されたデータを連続して高速に再生することが可能となる。
【図面の簡単な説明】
【図１】本発明の第１の実施の形態の動作を説明する読み出しビームのトレースの模式図である。
【図２】本発明の第２の実施の形態の動作を説明する読み出しビームのトレースの模式図である。
【図３】トラックジャンプの際の読み出しビームのトレースを示す模式図である。
【図４】本発明のデータ再生方法を実現する装置の構成の一例を示す図である。
【図５】図１を説明するためのフローチャートである。
【図６】図２を説明するためのフローチャートである。
【符号の説明】
４０１・・・・  ディスク
４０２・・・・  スピンドル
４０３・・・・  光ピックアップ
４０４・・・・  トラックジャンプ制御部
４０５・・・・  ＣＰＵ
４０６・・・・  メモリ
４０７・・・・  操作部
【図１】
0003547589.tif 000002
【図２】
0003547589.tif 000003
【図３】
0003547589.tif 000004
【図４】
0003547589.tif 000005
【図５】
0003547589.tif 000006
【図６】
0003547589.tif 000007